(57)【特許請求の範囲】
【請求項１】
画像データが予め蓄積されたサーバと、そのサーバからネットワークを介して前記画像データを受信する１つ以上の携帯情報端末とにおける画像情報処理方法であって、
前記１つ以上の携帯情報端末の各々は、
前記サーバから、前記画像データと共に、前記画像データにおける各画素を頂点とする格子状の各領域に渡って三角形分割手法に基づき連続的に領域分割することにより得られる各領域ごとの分割パターンの情報を受信し、
前記画像データに基づいて補間処理を行う必要がある場合に、前記画像データの所定の画素の値と、前記分割パターンに基づき、前記補間処理により値を決定すべき画素の値を求めることを特徴とする画像情報処理方法。
【請求項２】
前記１つ以上の携帯情報端末の各々は、前記画像データと、その各領域の分割パターンとを対応付けて画像メモリに格納することを特徴とする請求項１に記載の画像情報処理方法。
【請求項３】
前記１つ以上の携帯情報端末の各々は、前記補間処理を行う必要がある場合に、その補間すべき画素を含む格子の領域についての分割パターンの情報と、その格子に係る所定数の画素の値を、前記画像メモリから読み込み、補間すべき画素の値を、当該分割パターンと、当該所定数の画素の値に基づいて求める請求項２に記載の画像情報処理方法。
【請求項４】
前記１つ以上の携帯情報端末の各々は、前記補間の処理の前に、前記画像データに対して一括でエッジ強調フィルタ処理を行うことを特徴とする請求項１に記載の画像情報処理方法。
【請求項５】
前記サーバは、前記１つ以上の携帯情報端末の各々からの送信要求に応じて、前記画像データとその各領域の分割パターンとを、前記ネットワークを介して、要求に係る携帯情報端末に送信することを特徴とする請求項１に記載の画像情報処理方法。
【請求項６】
前記サーバは、前記１つ以上の携帯情報端末の各々からの送信要求に応じて、前記各領域ごとの分割パターンを決定することを特徴とする請求項１に記載の画像情報処理方法。
【請求項７】
前記サーバは、前記１つ以上の携帯情報端末の各々からの送信要求に拘わらず、予め、前記各領域ごとの分割パターンを決定しておくことを特徴とする請求項１に記載の画像情報処理方法。
【請求項８】
前記サーバに蓄積された画像データは、圧縮画像データであり、前記サーバは、前記圧縮画像データに対して伸長処理を行うことを特徴とする請求項１に記載の画像情報処理方法。
【請求項９】
前記サーバは、前記伸長処理によりラインもしくはブロック単位で順次得られる伸長画像データについて、順次分割パターンを順次決定することを特徴とする請求項８に記載の画像情報処理方法。
【請求項１０】
画像データが予め蓄積されたサーバと、そのサーバからネットワークを介して前記画像データを受信して表示する１つ以上の携帯情報端末とを備えた画像情報処理システムであって、
前記サーバは、
前記蓄積された画像データにおける各画素を頂点とする格子状の各領域に渡って、三角形分割手法に基づき連続的に領域分割することにより、各領域ごとに分割パターンを決定する三角形分割評価回路と、
前記１つ以上の携帯情報端末のうちの少なくとも１つからの送信要求に応じて、要求された画像データとその各領域の分割パターンとを、前記ネットワークを介して、要求に係る携帯情報端末に送信する送信部と、
を有し、
前記１つ以上の携帯情報端末の各々は、
前記サーバから受信した画像データとその各領域の分割パターンとを対応付けて格納する画像メモリと、
画像表示に際して補間により値を決定すべき画素がある場合に、その補間すべき画素を含む格子の領域についての分割パターンの情報と、その格子に係る所定数の画素の値を、前記画像メモリから読み込み、補間すべき画素の値を、当該分割パターンと、当該所定数の画素の値に基づいて求める描画回路と、
前記描画回路により得られた新たな画像データに基づき、画像が表示される表示部と、
を有することを特徴とする画像情報処理システム。
【請求項１１】
前記ネットワークは、第３世代移動通信網であることを特徴とする請求項１０に記載の画像情報処理システム。
【発明の詳細な説明】
【技術分野】
【０００１】
本発明は、画像情報処理方法及び画像情報処理システムに関し、特に、ネットワークを介して画像情報のやり取りを行うことを前提とした画像情報処理方法及び画像情報処理システムに関する。
【背景技術】
【０００２】
昨今、いわゆるスマートフォンに代表される携帯情報端末においては、ＷＥＢブラウザが搭載され、ネットワークを介してサーバから送信又は配信される各種の画像が閲覧できるようになっている。このとき、送られてくる画像を可能な限りきれいなものとして閲覧したいという要望があり、例えば漫画の配信においてはかかる要望は顕著である。
【０００３】
上述のような、低解像度の画像を高解像度の画像に変換すべく画素を補間する方法としては、従来より様々な方法が提案されている。例えば、バイリニア法は、補間点を囲む４点の画素からの距離に応じて、それらの画素値を線形に内挿して補間画素（少数画素とも称す）値を決定する方法である。また、バイキュービック法は、補間点の周囲にある１６点の画素の画素値を利用して所定の３次元関数の値を算出して補間画素値を決定する方法である。なお、これらの方法は、画像の回転・変形処理において原画素値を用いて新たな画素値を決定する方法としても活用されている。
【０００４】
しかしながら、上述の各方法では、斜め方向のエッジにいわゆるジャギーが発生したり、全体的にぼやけてしまうという課題がある。
【０００５】
そこで、高品質な拡大手法として、コスト関数やエッジ方向などに応じて、画像領域を三角形に分割して画素を補間する三角形分割手法が提案されており、代表的なものとして、Data Dependent Triangulationが挙げられる（例えば、非特許文献１参照）。これは、各画素を頂点とする格子状の各領域に渡って、コスト関数に基づいて分割といわゆる”edge swap”とを繰り返して領域を分割し、補間すべき画素の値を算出する際のサンプリング（参照）画素点を決定する手法である。
【先行技術文献】
【非特許文献】
【０００６】
【非特許文献１】X.Yu, B. S. Morse, and T. W. Sederberg, “Image Reconstruction UsingData-Dependent Triangulation”, IEEE Computer Graphics and Applications, Vol.21, No. 3, pp. 62-68 May/Jun. (2001)
【発明の概要】
【発明が解決しようとする課題】
【０００７】
ここで、前述のようにネットワークを介して接続されたサーバから送信又は配信された圧縮画像データを携帯情報端末が受信して処理を行う際のその携帯情報端末における処理を考えてみる。携帯情報端末においては、搭載されたハードウェアＬＳＩにより、かかる圧縮画像データに対する拡大・回転等の処理することが好適であるが、具体的には、図８（ａ）に示すように、必要に応じて画像デコーダ１１０により画像データを伸長してＶＲＡＭ１２０に展開しておき、描画回路１３０が、補間フィルタを用いて、ＶＲＡＭ１２０に置かれた各画素の中から、補間画素の値を算出するのに必要な画素をサンプリングして行う。
【０００８】
かかるハードウェア装置の描画回路１３０に上述の各手法を採用した場合、処理の複雑さに増すにつれて、その描画回路１３０やＶＲＡＭ１２０での負担が大きくなる。特に、上述の三角形分割手法のような手法を採用した場合、三角形を決定するための処理の時間が長くなるので、描画のパフォーマンスが低下してしまうという課題がある。また、補間画素の値を算出するためのサンプリング画素点が多く必要（例えば３６画素）となるため、ＶＲＡＭ１２０への負荷が大きいという課題がある。しかも回転・変形などの処理においては、その回転・変形の一処理ごとにＶＲＡＭ１２０内の画素を参照すると共に、図８（ｂ）に示すように、ランダムに参照することとなるので、参照処理は簡略化できず、負担が特に大きい。
【０００９】
加えて、現状の携帯情報端末のＷＥＢブラウザにおいては、JavaScript（オラクル（Oracle）社の登録商標）による処理しか行うことができないのであるが、上述の三角形分割手法をJavaScriptで実装すると演算時間が無益に長くなってしまうという課題がある。
【００１０】
本発明は上述のような事情から為されたものであり、本発明の目的は、サーバから送信又は配線された画像データを携帯情報端末において拡大・変形等の表示をする場合において、ジャギーやぼやける現象が発生せず、かつ、処理の効率化を図ることができる画像情報処理方法及び画像情報処理システムを提供することにある。
【課題を解決するための手段】
【００１１】
上記目的を達成するため、本発明の画像情報処理方法は、画像データが予め蓄積されたサーバと、そのサーバからネットワークを介して前記画像データを受信する１つ以上の携帯情報端末とにおける画像情報処理方法であって、前記１つ以上の携帯情報端末の各々は、前記サーバから、前記画像データと共に、前記画像データにおける各画素を頂点とする格子状の各領域に渡って三角形分割手法に基づき連続的に領域分割することにより得られる各領域ごとの分割パターンの情報を受信し、前記画像データに基づいて補間処理を行う必要がある場合に、前記画像データの所定の画素の値と、前記分割パターンに基づき、前記補間処理により値を決定すべき画素の値を求めることを要旨とする。
【００１２】
ここで、前記１つ以上の携帯情報端末の各々は、前記画像データと、その各領域の分割パターンとを対応付けて画像メモリに格納することが好適である。
【００１３】
このとき更に好適には、前記１つ以上の携帯情報端末の各々は、前記補間処理を行う必要がある場合に、その補間すべき画素を含む格子の領域についての分割パターンの情報と、その格子に係る所定数の画素の値を、前記画像メモリから読み込み、補間すべき画素の値を、当該分割パターンと、当該所定数の画素の値に基づいて求める。
【００１４】
また、前記１つ以上の携帯情報端末の各々は、前記補間の処理の前に、前記画像データに対して一括でエッジ強調フィルタ処理を行うことが好適である。
【００１５】
一方、サーバは、前記１つ以上の携帯情報端末の各々からの送信要求に応じて、前記画像データとその各領域の分割パターンとを、前記ネットワークを介して、要求に係る携帯情報端末に送信する。
【００１６】
また、前記サーバは、前記１つ以上の携帯情報端末の各々からの送信要求に応じて、前記各領域ごとの分割パターンを決定するができる。
【００１７】
あるいは、前記サーバは、前記１つ以上の携帯情報端末の各々からの送信要求に拘わらず、予め、前記各領域ごとの分割パターンを決定しておくことができる。
【００１８】
典型的には、前記サーバに蓄積された画像データは、圧縮画像データであり、前記サーバは、前記圧縮画像データに対して伸長処理を行う。
【００１９】
このとき、前記サーバは、前記伸長処理によりラインもしくはブロック単位で順次得られる伸長画像データについて、順次分割パターンを順次決定することが好適である。
【００２０】
また、上記目的を達成するため、本発明の画像情報処理システムは、画像データが予め蓄積されたサーバと、そのサーバからネットワークを介して前記画像データを受信して表示する１つ以上の携帯情報端末とを備えた画像情報処理システムであって、前記サーバは、前記蓄積された画像データにおける各画素を頂点とする格子状の各領域に渡って、三角形分割手法に基づき連続的に領域分割することにより、各領域ごとに分割パターンを決定する三角形分割評価回路と、前記１つ以上の携帯情報端末のうちの少なくとも１つからの送信要求に応じて、要求された画像データとその各領域の分割パターンとを、前記ネットワークを介して、要求に係る携帯情報端末に送信する送信部と、を有し、前記１つ以上の携帯情報端末の各々は、前記サーバから受信した画像データとその各領域の分割パターンとを対応付けて格納する画像メモリと、画像表示に際して補間により値を決定すべき画素がある場合に、その補間すべき画素を含む格子の領域についての分割パターンの情報と、その格子に係る所定数の画素の値を、前記画像メモリから読み込み、補間すべき画素の値を、当該分割パターンと、当該所定数の画素の値に基づいて求める描画回路と、前記描画回路により得られた新たな画像データに基づき、画像が表示される表示部と、を有することを要旨とする。ここで、典型的には、前記ネットワークは、第３世代移動通信網である。
【発明の効果】
【００２１】
本発明の画像情報処理方法及び画像情報処理システムによれば、ネットワークを介してサーバから画像データを携帯情報端末にダウンロードする際に、三角形分割手法アルゴリズムを採用しているので、画像の拡大・変形等を行っても、いわゆるジャギーが発生したり、全体的にぼやけてしまうようなことがない。ここで、特に、携帯情報端末に三角形分割手法に係るすべての処理を負わせてしまうのではなく、サーバにその一部を負担させる。具体的には、サーバ側で、描画と切り離して分割パターン情報を獲得しておき、配信要求に応じて、画像データとともにその分割パターン情報を携帯情報端末に送信し、携帯情報端末側では、その分割パターン情報に基づいて、補間処理を行うだけでよい。これは、分割パターン情報を予め一括して求めておくことができる、という着眼の応用といえる。かかる構成により、処理の効率化を図ることができる。
【００２２】
特に、複数の携帯情報端末が一のサーバから同一の画像データをダウンロードする場合には、各携帯情報端末がそれぞれ分割パターン情報を求める必要がないので、全体としては、非常に処理が効率化できる。また、携帯情報端末が、画像データに対して一括でエッジ強調フィルタ処理を行うフィルタ処理部を有していれば、画質の更なる向上を図ることができる。
【図面の簡単な説明】
【００２３】
【図１】本発明における画像情報処理システムの第１実施形態の主要構成を示すブロック図である。
【図２】サーバにおける送信までの処理手順を示すフローチャートである。
【図３】分割パターンの種類を示す図である。
【図４】三角形分割評価回路における分割パターンの決定の仕方を説明するための図である。
【図５】携帯情報端末における表示部への画像の描画までの処理手順を示すフローチャートである。
【図６】描画回路における画素の補間を説明するための図である。
【図７】本発明における画像情報処理システムの第２実施形態を説明するための図である。
【図８】従来の技術を説明するための図である。
【発明を実施するための形態】
【００２４】
以下、図面を参照して、本発明の実施の形態について詳細に説明する。  
＜第１実施形態＞
図１は、本発明における画像情報処理システムの第１実施形態の主要構成を示すブロック図である。同図に示した画像情報処理システムは、概して、サーバ１と携帯情報端末（クライアント）２とが、第３世代移動通信網（３Ｇ回線）３を介して通信可能となっている。なお、同図においては、説明の便宜上、１台のサーバと１台の携帯情報端末を示しているが、一般的には、当該通信網３にはそれぞれ複数の機器が接続されるものであり、特に、本発明においても、複数の携帯情報端末が一のサーバから画像データを、いわゆるダウンロードする構成をも前提としている。
【００２５】
そこで、サーバ１は、圧縮画像データＣＰＤ（例えばｐｎｇ形式）が格納されている圧縮画像データ格納部１１と、圧縮画像データ格納部１１から圧縮画像データＣＰＤを読み出して伸長処理を行う画像デコーダ１２と、画像デコーダ１２により伸長された画像データＰＤに基づいて、補間すべき画素が参照すべきサンプリング画素を決定すべく、画像デコーダ１２により伸長された格子状の画素点を含む二次元平面を三角形分割手法に基づき幾何学的に三角形に分割し、各格子領域について複数分割パターンのうちの１つに決定する三角形分割評価回路１３と、圧縮画像データ格納部１１からの圧縮画像データＣＰＤと、三角形分割評価回路１３から出力された分割パターン情報ＤＰＩとが一時的に格納され、それらを送信する送信部（送信バッファを含む）１４とを備えている。なお、圧縮画像データＣＰＤとしては、典型的には、漫画のデータが挙げられるがこれに限られることはない。また、同図においては、サーバ１のサーバとしての他の基本構成については省略している。
【００２６】
一方、携帯情報端末（クライアント）２は、サーバ１から送信又は配信されてくる圧縮画像データＣＰＤ及び分割パターン情報ＤＰＩを受信して一時的に格納する受信部（受信バッファを含む）２１と、受信部２１から画像データＣＰＤを読み出して伸長処理を行う画像デコーダ２２と、伸長された画像データＰＤが展開格納されるとともに分割パターン情報ＤＰＩがそれに対応付けられて格納されるＶＲＡＭ（Video Random Access Memory）２３と、ＶＲＡＭ２３に展開格納された画像データを参照して、補間処理を含む各種描画処理を行う描画回路２４と、描画回路２４により各種の描画処理が施された画像データに基づいて画像が表示される表示部２５とを備えている。そして、描画回路２４は、少なくとも補間回路２４１を有している。なお、サーバ１と同様、同図においては、携帯情報端末２の端末としての他の基本構成については省略している。
【００２７】
図２（ａ）及び（ｂ）は、サーバ１における送信までの処理手順を示すフローチャートである。同図を参照して、サーバ１は、少なくとも１台の携帯情報端末（クライアント）２からの要求に応じて、まず、圧縮画像データ格納部１１から圧縮画像データＣＰＤを読み出して画像デコーダ１２及び送信部１４に送る（ステップＳ１１）。
【００２８】
画像デコーダ１２は、受け取った圧縮画像データＣＰＤに対して伸長処理を施し、伸長された画像データＰＤを三角形分割評価回路１３に送る（ステップＳ１２）。
【００２９】
三角形分割評価回路１３は、伸長された画像データＰＤをシーケンシャルに入力しつつ、分割パターン情報ＤＰＩを決定し、送信部１４に送る（ステップＳ１３）。ここで、図３及び図４を参照して、三角形分割評価回路１３における処理を説明する。ここでは、画素値の傾斜を３６０度／１６の精度、すなわち２２．５度単位の精度まで近似する場合を説明する。
【００３０】
画素値の傾斜を２２．５度単位の精度まで近似する場合、注目する４つの画素点が形成する格子領域の各々に決定される分割パターンは、図３に示した１５通りとなる。このとき、ノイズ耐性を考慮すると共に各格子領域の分割パターンの連続性を担保しつつ決定するためには、図４（ａ）に示すように、その格子の各頂点の４画素を含めて周囲３６画素を参照する必要がある。
【００３１】
そこで、三角形分割評価回路１３は、図４（ｂ）に示すように、画像デコーダ１２から伸長された画像データがライン単位（もしくはブロック単位）でシーケンシャルに送られてくるのに応じて、注目する格子領域をシフトしつつ、注目する格子領域について、三角形分割手法に基づき、順次、分割パターン（図３に示したいずれか）を決定する（ステップＳ１３１）。そして、三角形分割評価回路１３は、各格子領域について得られた分割パターンを、分割パターン情報ＤＰＩとして送信部１４に送り（ステップＳ１３２）、送信部１４においては、各格子領域に対応した情報として分割パターン情報ＤＰＩが格納される。これを注目する格子領域をシフトしつつ最終領域まで行う（ステップＳ１３３，Ｓ１３４）。このように、三角形分割評価回路１３においては、画像デコーダ１２の処理に対してパイプライン処理を行い、つまり、伸長された画像データを画像デコーダ１２からシーケンシャルに受け取りつつ、ラインバッファを活用して各格子領域について順次、分割パターンを決定することができる。なお、分割パターンは、図３に示すように、１５通りなので、この分割パターン情報ＤＰＩは各格子につき４ビットで足りる情報である。
【００３２】
図２（ａ）に戻り、最後に、送信部１４は、送信バッファに格納された圧縮画像データＣＰＤ及び分割パターン情報ＤＰＩを通信網３に向けて送信する（ステップＳ１４）。
【００３３】
なお、上述の説明においては、携帯情報端末２からの送信要求に応じて、画像デコーダ１２による圧縮画像データの伸長処理と、三角形分割評価回路１３による分割パターン情報ＤＰＩの獲得処理とを行っているが、携帯情報端末２からの要求によらず、予め当該伸長処理及び獲得処理を行っておき、獲得された分割パターン情報ＤＰＩを予め所定の格納部に格納しておくような処理構成にしてもよい。この場合には、サーバ１は、携帯情報端末２からの送信要求に起因して、圧縮画像データＣＰＤと分割パターン情報ＤＰＩとを送信するだけの処理となる。
【００３４】
次に、第３世代移動通信網３を介してサーバ１から送られた圧縮画像データＣＰＤ及び分割パターン情報ＤＰＩを受信した携帯情報端末２における処理について説明する。図５（ａ）及び（ｂ）は、携帯情報端末２における表示部２５への画像の描画までの処理手順を示すフローチャートである。
【００３５】
同図を参照して、まず、携帯情報端末２の受信部２１は、圧縮画像データＣＰＤ及び分割パターン情報ＤＰＩを受信し、一旦受信バッファに格納する（ステップＳ２１）。画像デコーダ２２は、受信部２１の受信バッファに格納された圧縮画像データＣＰＤを読み出して伸長処理を施し、伸長された画像データＰＤをＶＲＡＭ２３に展開格納する（ステップＳ２２）。また、携帯情報端末２は、同受信バッファに格納された分割パターン情報ＤＰＩを読み出し、伸長された画像データＰＤに対応させてＶＲＡＭ２３に格納する（ステップＳ２３）。
【００３６】
次に、描画回路２４が、ＶＲＡＭ２３内に展開格納された画像データＰＤに基づいて表示部２５に画像として描画するのであるが、拡大等により補間して求めるべき画素（以下、「補間画素」又は「補間すべき画素」と称す）が生じた場合には、描画回路２４内の補間回路２４１が、ＶＲＡＭ２３内の複数の画素を参照してその画素値を決定する（ステップＳ２４）。詳細には、注目する補間画素ごとに以下の処理を行う。すなわち、まず、補間回路２４１は、注目する補間画素が含まれる格子領域を認識する（ステップＳ２４１）。次に、補間回路２４１は、当該格子領域について、分割パターン情報ＤＰＩをＶＲＡＭ２３から読み込む（ステップＳ２４２）。
【００３７】
ここで、各分割パターンのそれぞれの場合における補間に必要な画素（参照画素）について説明する。図６（ａ）〜（ｈ）は、参照画素の取り方を示した分割パターンの例を示す図である。例えば、同図（ａ）のように、分割なしのパターンの場合には、格子の各頂点の画素ｐ（ｕｌ），ｐ（ｕｒ），ｐ（ｄｌ），ｐ（ｄｒ）の線形補間により補間すべき画素ｉｐの値を算出する。また、同図（ｂ）の２分割の場合であって、同図に示す位置の補間すべき画素ｉｐの場合、画素ｐ（ｕｌ），ｐ（ｕｒ），ｐ（ｄｌ）の値に基づき、補間すべき画素ｉｐの値を算出する。また、同図（ｃ）に示す３分割の１パターンであって、同図に示す位置の補間すべき画素ｉｐの場合、画素ｐ（ｕｒ），ｐ（ｄｌ），ｐ（ｄｌｌ）の値に基づき、補間すべき画素ｉｄの値を算出する。また、同図（ｄ）に示す３分割の１パターンであって、同図に示す位置の補間すべき画素ｉｐの場合、画素ｐ（ｕｒ），ｐ（ｄｌ），ｐ（ｕｒｒ）の値に基づき、補間すべき画素ｉｄの値を算出する。また、同図（ｅ）に示す３分割の１パターンであって、同図に示す位置の補間すべき画素ｉｐの場合、画素ｐ（ｕｒ），ｐ（ｄｌ），ｐ（ｕｒｕ）の値に基づき、補間すべき画素ｉｄの値を算出する。また、同図（ｆ）に示す３分割の１パターンであって、同図に示す位置の補間すべき画素ｉｐの場合、画素ｐ（ｕｒ），ｐ（ｄｌ），ｐ（ｄｌｄ）の値に基づき、補間すべき画素ｉｄの値を算出する。また、同図（ｇ）及び（ｈ）に示す４分割の各パターンについても、各分割領域において同様である。更に、図には例示していない他の７つの分割パターンについても同様である。
【００３８】
従って、結局、図６（ｉ）に示す１２個の画素の値があれば、その格子内の補間すべき画素については、値が決定できることになる。しかして、図５（ｂ）に戻り、次に、補間回路２４１は、当該格子領域について、その１２個の画素の値をＶＲＡＭ２３から読み込む（ステップＳ２４３）。そして、図６を参照して説明したように、補間回路２４１は、分割パターン情報ＤＰＩと１２個の画素の値に基づき、補間すべき画素ｉｄの値を算出する（ステップＳ２４４）。そして、すべての補間すべき画素について値が求まると、ステップＳ２４の処理が終了する（ステップＳ２４５，Ｓ２４６）。なお、ステップＳ２４１において認識する、注目する補間画素が含まれる格子領域が、既に処理した補間画素に係る格子領域と同じ場合には、ステップＳ２４２及びＳ２４３の処理、すなわち、分割パターン情報ＤＰＩ及び所定の１２個の画素の値をＶＲＡＭ２３から読み込む処理は行う必要はない。
【００３９】
なお、補間すべき各画素の値を参照画素から求めるステップＳ２４の処理は、一般的手順としては上述のように説明できるが、具体例としては、HTML5においては、getImageData()というメソッドを利用して画素配列を取得し、それらを参照して補間画素を求めて拡大・変形等した画素配列を作成し、その作成後の画素配列に対してputImageData()というメソッドを施して画像に戻すことにより実現できる。
【００４０】
図５（ａ）に戻り、描画回路２４は、その他の描画処理を施し、補間された画素を含む画素の値に基づき、表示部２５に画像を描画する（ステップＳ２５）。
【００４１】
なお、上述においては、１２個の画素を一律にＶＲＡＭ１２から読み込んでいるが、分割パターンに応じて、必要な画素のみを読み込むようにしてもよい。なお、一律に読み込んだ方が、可変の数の画素を読み込むよりは、読み込み処理は簡易な形式となる。
【００４２】
以上のように、上述の第１実施形態によれば、第３世代移動通信網３を介してサーバ１から漫画等の圧縮画像データを携帯情報端末２にダウンロードする際に、三角形分割手法アルゴリズムを搭載しているので、画像の拡大・変形等を行っても、いわゆるジャギーが発生したり、全体的にぼやけてしまうようなことがない。ここで、特に、携帯情報端末２に三角形分割手法に係るすべての処理を負わせてしまうのではなく、サーバ１にその一部を負担させる。具体的には、携帯情報端末２において、描画回路が、拡大・変形等の一処理ごとに、補間に要する参照画素をランダムにＶＲＡＭから読み出してその都度分割パターンを決定し、補間すべき画素の値を求める、という手法ではなく、サーバ１側で、描画と切り離して分割パターン情報ＤＰＩを獲得しておき、配信要求に応じて、圧縮画像データＣＰＤとともにその分割パターン情報ＤＰＩを携帯情報端末２に送信し、携帯情報端末２側では、その分割パターン情報ＤＰＩに基づいて、補間処理を行うだけでよい。これは、分割パターン情報ＤＰＩを予め一括して求めておくことができる、という着眼の応用といえる。また、携帯情報端末２は、画像の拡大や変形があるごとに分割パターンを算出するのではなく、同じ画像であれば、ＶＲＡＭ２３に格納した同一の分割パターン情報ＤＰＩを参照できる。
【００４３】
更に、複数の携帯情報端末が一のサーバから同一の画像データをダウンロードすることはごく一般的であるが、その場合に各携帯情報端末がそれぞれ分割パターン情報を求める必要がないので、全体としては、非常に処理が効率化できる。
【００４４】
＜第２実施形態＞
図７は、本発明における画像情報処理システムの第２実施形態を説明するための図である。第２実施形態の第１実施形態と異なる点は、携帯情報端末のみであるので、同図においても携帯情報端末２Ｂのみを示し、他の構成は省略する。すなわち、第２実施形態に係る携帯情報端末２Ｂは、第１実施形態に係る携帯情報端末２の構成に加えて、ＶＲＡＭ２３と描画回路２４との間にエッジ強調フィルタ処理部２６を備える構成となっている。当該エッジ強調フィルタ処理部２６は、伸長された画像データＰＤに対して一括で、エッジ強調のための任意のフィルタを掛けることにより、エッジ強調フィルタ処理を行い、得られた画像データを、図示しない内部のローカルメモリに格納しておく。
【００４５】
従って、第２実施形態によれば、第１実施形態の効果に加えて、エッジ強調フィルタ処理による画質向上を図ることができるという効果がある。
【００４６】
なお、上述の各実施形態においては、サーバと携帯情報端末が接続されるネットワークをいわゆる３Ｇ回線としたが、これに限られることはなく、例えば３Ｇ回線を発展させたＬＴＥ（Long Term Evolution）規格のネットワークや他の移動通信網であってもよい。また、いわゆるWi-Fi（公衆無線ＬＡＮ）接続を含めたインターネット経由の通信であってもよい。
【００４７】
また、上述の各実施形態においては、圧縮符号化された画像データをサーバに蓄積しておき、表示に際してはそれを伸長して表示するようにしているが、本発明の趣旨は、元々の画像が圧縮されているものに限定されるわけではない。但し、格納容量や通信容量を鑑みれば、圧縮画像であることが、ごく一般的である。
【産業上の利用可能性】
【００４８】
本発明の画像情報処理方法及び画像情報処理システムは、ネットワークを介してサーバから漫画等の画像情報をいわゆるスマートフォンにダウンロードする場合に適用できる。
【符号の説明】
【００４９】
１  サーバ
１１  圧縮画像データ格納部
１２  画像デコーダ
１３  三角形分割評価回路
１４  送信部
２  携帯情報端末（クライアント）
２１  受信部
２２  画像デコーダ
２３  ＶＲＡＭ
２４  描画回路
２４１  補間回路
２５  表示部
２６  エッジ強調フィルタ処理部
３  第３世代移動通信網
ｐ  画素
ｉｐ  補間すべき画素
【図１】
0005633046.tif 000002
【図２】
0005633046.tif 000003
【図３】
0005633046.tif 000004
【図４】
0005633046.tif 000005
【図５】
0005633046.tif 000006
【図６】
0005633046.tif 000007
【図７】
0005633046.tif 000008
【図８】
0005633046.tif 000009